(57)【要約】  携帯端末装置（１０５）は、接続が許可される機器である接続許可機器が示される接続許可情報を受信した後に接続許可機器からアクセスがあった場合に、接続許可機器との接続を行い、接続許可機器への作業を実施する。作業工程管理装置（１０１）は、携帯端末装置（１０５）から、接続許可機器への作業の進捗状況が示される作業進捗情報を受信し、作業進捗情報に示される接続許可機器への作業の進捗状況を解析する。更に、作業工程管理装置（１０１）は、携帯端末装置（１０５）に接続を許可する新たな機器を新たな接続許可機器として選択し、新たな接続許可機器が示される新たな接続許可情報を生成し、生成した新たな接続許可情報を携帯端末装置（１０５）に送信する。
2016103357.tif 000002
【特許請求の範囲】
【請求項１】
接続が許可される機器である接続許可機器が示される接続許可情報を受信した後に前記接続許可機器からアクセスがあった場合に、前記接続許可機器との接続を行い、前記接続許可機器への作業を実施する携帯端末装置から、前記接続許可機器への作業の進捗状況が示される作業進捗情報を受信する作業進捗情報受信部と、
前記作業進捗情報に示される前記接続許可機器への作業の進捗状況を解析し、前記携帯端末装置に接続を許可する新たな機器を新たな接続許可機器として選択し、前記新たな接続許可機器が示される新たな接続許可情報を生成する進捗状況解析部と、
前記進捗状況解析部により生成された前記新たな接続許可情報を前記携帯端末装置に送信する接続許可情報送信部とを有する作業工程管理装置。
【請求項２】
前記進捗状況解析部は、
前記作業進捗情報に示される前記接続許可機器への作業の進捗状況を解析し、前記携帯端末装置に新たな機器との接続を許可するための条件である接続許可条件が成立するか否かを判定し、前記接続許可条件が成立する場合に前記新たな接続許可機器を選択する請求項１に記載の作業工程管理装置。
【請求項３】
前記進捗状況解析部は、
前記接続許可機器への作業の完了が前記接続許可条件として設定されており、
前記作業進捗情報に示される前記接続許可機器への作業の進捗状況を解析し、前記接続許可機器への作業が完了しているか否かを判定し、前記接続許可機器への作業が完了している場合に前記新たな接続許可機器を選択する請求項２に記載の作業工程管理装置。
【請求項４】
前記進捗状況解析部は、
前記接続許可機器への作業が完了した際に前記携帯端末装置以外の他の携帯端末装置が他の作業を実施中であるために、前記携帯端末装置が前記接続許可機器への作業の次に実施する予定の作業である次実施作業が開始されない場合に、
前記他の携帯端末装置が実施中の作業が完了するまでの残り時間を予測し、予測した残り時間の間に前記携帯端末装置が完了させることができる作業を抽出し、前記次実施作業の開始前に、抽出した作業を前記携帯端末装置に実施させる請求項３に記載の作業工程管理装置。
【請求項５】
前記進捗状況解析部は、
抽出した作業が対象とする機器を新たな接続許可機器として選択する請求項４に記載の作業工程管理装置。
【請求項６】
接続が許可される機器である接続許可機器が示される接続許可情報を受信した後に前記接続許可機器からアクセスがあった場合に、前記接続許可機器との接続を行い、前記接続許可機器への作業を実施する携帯端末装置と、
前記携帯端末装置から、前記接続許可機器への作業の進捗状況が示される作業進捗情報を受信し、前記作業進捗情報に示される前記接続許可機器への作業の進捗状況を解析し、前記携帯端末装置に接続を許可する新たな機器を新たな接続許可機器として選択し、前記新たな接続許可機器が示される新たな接続許可情報を生成し、生成した前記新たな接続許可情報を前記携帯端末装置に送信する作業工程管理装置とを有する作業工程管理システム。
【請求項７】
前記作業工程管理装置は、
前記作業進捗情報に示される前記接続許可機器への作業の進捗状況を解析し、前記携帯端末装置に新たな機器との接続を許可するための条件である接続許可条件が成立するか否かを判定し、前記接続許可条件が成立する場合に前記新たな接続許可機器を選択する請求項６に記載の作業工程管理システム。
【請求項８】
前記携帯端末装置は、
いずれかの機器からアクセスがあった場合に、アクセス元の機器が前記接続許可情報に示される前記接続許可機器に該当するか否かを判定し、
前記アクセス元の機器が前記接続許可機器に該当する場合に、前記アクセス元の機器との接続を行う請求項６に記載の作業工程管理システム。
【請求項９】
接続が許可される機器である接続許可機器が示される接続許可情報を受信した後に前記接続許可機器からアクセスがあった場合に、前記接続許可機器との接続を行い、前記接続許可機器への作業を実施する携帯端末装置から、コンピュータが、前記接続許可機器への作業の進捗状況が示される作業進捗情報を受信し、
前記コンピュータが、前記作業進捗情報に示される前記接続許可機器への作業の進捗状況を解析し、前記携帯端末装置に接続を許可する新たな機器を新たな接続許可機器として選択し、前記新たな接続許可機器が示される新たな接続許可情報を生成し、
前記コンピュータが、前記新たな接続許可情報を前記携帯端末装置に送信する作業工程管理方法。
【請求項１０】
接続が許可される機器である接続許可機器が示される接続許可情報を受信した後に前記接続許可機器からアクセスがあった場合に、前記接続許可機器との接続を行い、前記接続許可機器への作業を実施する携帯端末装置から、前記接続許可機器への作業の進捗状況が示される作業進捗情報を受信する作業進捗情報受信処理と、
前記作業進捗情報に示される前記接続許可機器への作業の進捗状況を解析し、前記携帯端末装置に接続を許可する新たな機器を新たな接続許可機器として選択し、前記新たな接続許可機器が示される新たな接続許可情報を生成する進捗状況解析処理と、
前記進捗状況解析処理により生成された前記新たな接続許可情報を前記携帯端末装置に送信する接続許可情報送信処理とをコンピュータに実行させる作業工程管理プログラム。
【発明の詳細な説明】
【技術分野】
【０００１】
本発明は、機器に対する作業の作業工程を管理する技術に関する。
【背景技術】
【０００２】
特許文献１に、鉄道の地上沿線設備の保守点検作業の作業工程を管理するシステムが開示されている。
特許文献１に開示のシステムは、作業員が携行する携帯端末装置と保守管理装置から構成され、携帯端末装置と保守管理装置は互いに通信可能である。
保守管理装置は携帯端末装置に作業許可信号を送信し、携帯端末装置は作業許可信号を受信し、また携帯端末装置の位置を示す位置情報を定期的に保守管理装置へ送信する。
保守管理装置は携帯端末装置からの位置情報により作業進捗を把握する。
また、保守管理装置は、作業進捗に応じて、作業員の携帯端末装置へ遅延警告などを発報することで、作業工程を管理する。【０００３】
さらに、特許文献１の技術に特許文献２の技術又は特許文献３の技術を組み合わせることで、位置情報に留まらず、作業員の携帯端末装置と保守点検の対象となる保守点検機器との接続情報から作業工程を管理することも可能である。
特許文献２によれば、作業員の携帯端末装置は保守点検機器との接続にあたり、特許文献１の保守管理装置に該当するサーバ装置から接続許可機器情報をダウンロードする。
また、特許文献３によれば、携帯端末装置は前述のダウンロードした接続許可機器情報に基づいて保守点検機器と接続する。
サーバ装置は、携帯端末装置と保守点検機器とを接続することで、携帯端末装置と保守点検機器との接続制限を管理する。【０００４】
特許文献２では、接続許可機器情報は特許文献１の保守管理装置に該当するサーバ装置で管理される。
そして、サーバ装置が、携帯端末装置からの接続問合せ時に接続許可機器情報を参照することで、携帯端末装置と保守点検機器との接続可否を判断している。
しかし、特許文献２では、接続許可機器情報の変更又は更新などの運用については明記されておらず、ネットワーク構成の変更などに応じて、人手での接続許可機器情報の修正が必要である。【０００５】
特許文献３についても特許文献２と同様に、接続許可機器情報は特許文献１の保守管理装置に該当するサーバ装置で管理される。
接続許可機器情報の変更又は更新の運用については、特許文献３では、作業員が保守点検機器に手動で接続許可機器情報の変更内容又は更新内容を入力する。
そして、保守点検機器がサーバ装置と通信して接続許可機器情報の変更内容を又は更新内容をサーバ装置に送信して、サーバ装置の接続許可機器情報の変更又は更新を実現する。
【先行技術文献】
【特許文献】
【０００６】
【特許文献１】特開２００２−２０５６４６号公報
【特許文献２】特開２０１３−３８５８９号公報
【特許文献３】特開２００６−１４８３４３号公報
【発明の概要】
【発明が解決しようとする課題】
【０００７】
機器に対する作業、例えば、特許文献１で開示された鉄道車両の保守点検業務は、車両を構成している電機品単位で分解してそれぞれについて保守点検作業を実施し、作業が完了した電機品から順次、組み立て直すという流れで実施される。
そのため、一部の作業の遅れが組み立て作業の遅延に影響するという課題がある。
また、一部の作業の点検漏れが放置されたまま組み立て工程に進んだ場合に作業全体に手戻りが発生するという課題がある。【０００８】
このような課題に対し、一部の作業誤りを抑止するために、保守点検作業の進捗状況に応じて作業員の携帯端末装置と保守点検機器との接続許可を動的に更新する方法が考えられる。
しかし、特許文献１、特許文献２、特許文献３の組合せによる作業工程管理システムの適用では、各作業員の保守点検作業の進捗状況に応じて、携帯端末装置と機器との接続許可を動的に更新することができないという課題がある。【０００９】
本発明は、このような課題を解決することを主な目的としており、作業の進捗状況に応じて、携帯端末装置と機器との接続許可を動的に更新する構成を得ることを主な目的とする。
【課題を解決するための手段】
【００１０】
本発明に係る作業工程管理装置は、
接続が許可される機器である接続許可機器が示される接続許可情報を受信した後に前記接続許可機器からアクセスがあった場合に、前記接続許可機器との接続を行い、前記接続許可機器への作業を実施する携帯端末装置から、前記接続許可機器への作業の進捗状況が示される作業進捗情報を受信する作業進捗情報受信部と、
前記作業進捗情報に示される前記接続許可機器への作業の進捗状況を解析し、前記携帯端末装置に接続を許可する新たな機器を新たな接続許可機器として選択し、前記新たな接続許可機器が示される新たな接続許可情報を生成する進捗状況解析部と、
前記進捗状況解析部により生成された前記新たな接続許可情報を前記携帯端末装置に送信する接続許可情報送信部とを有する。
【発明の効果】
【００１１】
本発明では、作業工程管理装置は、作業の進捗状況が示される作業進捗情報を携帯端末装置から受信し、作業進捗情報に示される作業の進捗状況を解析する。
そして、作業工程管理装置は、新たな接続許可機器を選択し、新たな接続許可機器が示される新たな接続許可情報を携帯端末装置に送信する。
このため、本発明によれば、作業の進捗状況に応じて、携帯端末装置と機器との接続許可を動的に更新することができる。
【図面の簡単な説明】
【００１２】
【図１】実施の形態１に係るシステム構成例を示す図。
【図２】実施の形態１に係る作業工程管理装置の機能構成例を示す図。
【図３】実施の形態１に係るデータベースに記憶されるテーブルの例を示す図。
【図４】実施の形態２に係る接続許可情報更新部の機能構成例を示す図。
【図５】実施の形態１に係る作業の進捗状況と作業進捗管理テーブルと作業工程管理テーブルとの関係を示す図。
【図６】実施の形態２に係る作業の進捗状況と作業進捗管理テーブルと作業工程管理テーブルとの関係を示す図。
【図７】実施の形態１に係る携帯端末装置の機能構成例を示す図。
【図８】実施の形態１に係る保守点検機器の動作例を示すフローチャート図。
【図９】実施の形態１に係る携帯端末装置の動作例を示すフローチャート図。
【図１０】実施の形態１に係る作業工程管理装置の動作例を示すフローチャート図。
【図１１】実施の形態１及び２に係る作業工程管理装置のハードウェア構成例を示す図。
【発明を実施するための形態】
【００１３】
実施の形態１．
＊＊＊構成の説明＊＊＊
図１は、本実施の形態に係るシステム構成例を示す。
【００１４】
本実施の形態に係るシステムは、作業工程管理装置１０１、保守点検機器１０２、読取装置１０３、無線通信装置１０４、携帯端末装置１０５、ＩＣ（Ｉｎｔｅｇｒａｔｅｄ  Ｃｉｒｃｕｉｔ）カード１０６で構成される。
なお、作業工程管理装置１０１と携帯端末装置１０５との組合せは、作業工程管理システム１０００という。
【００１５】
作業員５００は、ＩＣカード１０６と携帯端末装置１０５を携行する。
ＩＣカード１０６内には、携帯端末装置１０５の接続先アドレスなど携帯端末装置１０５と通信するための情報が記録されている。
ＩＣカード１０６に記録されている、携帯端末装置１０５と通信するための情報を接続情報という。
後述するように、携帯端末装置１０５は、作業工程管理装置１０１から接続許可情報を受信した後に、接続許可情報で接続が許可されている機器（以下、接続許可情報で接続が許可されている機器を「接続許可機器」という）からアクセスがあった場合に、接続許可機器との接続を行い、接続許可機器への保守点検作業を実施する。
なお、接続許可機器と携帯端末装置１０５とが「接続する」とは、接続許可機器と携帯端末装置１０５とが相互にセッションを確立し、セッション上でデータ送受信を行うための論理的な回線を設定することである。
接続許可機器と携帯端末装置１０５とが接続することで、接続許可機器のアプリケーションプログラムと携帯端末装置１０５のアプリケーションプログラムが相互にデータを送受信可能になる。
なお、以下では、保守点検機器１０２が接続許可機器であるとの前提で説明を進める。
【００１６】
保守点検機器１０２は、例えば、鉄道車両に搭載される機器である。
保守点検機器１０２は、読取装置１０３と無線通信装置１０４に接続されている。
作業員５００がＩＣカード１０６を保守点検機器１０２の読取装置１０３にかざすと、保守点検機器１０２は、読取装置１０３を介してＩＣカード１０６内に記録された携帯端末装置１０５の接続情報を取得する。
保守点検機器１０２は、取得した接続情報を使用して、無線通信装置１０４を介して携帯端末装置１０５にアクセスし、携帯端末装置１０５と接続する。
【００１７】
保守点検機器１０２との接続が完了した携帯端末装置１０５は、保守点検機器１０２との接続状態が示される情報を作業工程管理装置１０１に送信する。
保守点検機器１０２との接続状態が示される情報を接続状態情報という。
また、携帯端末装置１０５は、作業員が携帯端末装置１０５を使用して実施する保守点検作業の進捗状況が示される情報を、作業工程管理装置１０１に送信する。
保守点検作業の進捗状況が示される情報を、作業進捗情報という。
携帯端末装置１０５が、作業工程管理装置１０１へ前述の情報を送信するタイミングは、一定時間ごとの周期送信でもよいし、接続／切断／作業項目開始／作業項目終了などのイベント発生ごとでもよい。
【００１８】
図２は、作業工程管理装置１０１の機能構成例を示す。
作業工程管理装置１０１は、通信部２００、進捗状況解析部２１０、データベース２０７に大別される。
【００１９】
通信部２００は、携帯端末装置１０５と通信を行う。
通信部２００は、接続状態情報受信部２０１と作業進捗情報受信部２０２と接続許可情報送信部２０６で構成される。
接続状態情報受信部２０１は、携帯端末装置１０５が保守点検機器１０２と接続を開始した場合又は携帯端末装置１０５が保守点検機器１０２との接続を切断した場合に、接続の開始又は接続の切断を通知する接続状態情報を受信する。
作業進捗情報受信部２０２は、作業進捗情報を受信する。
例えば、作業員５００が携帯端末装置１０５に入力した保守点検作業の進捗状況が作業進捗情報として送信される。
接続許可情報送信部２０６は、進捗状況解析部２１０により生成された新たな接続許可情報を携帯端末装置１０５に送信する。
【００２０】
進捗状況解析部２１０は、作業進捗情報に示される携帯端末装置１０５による接続許可機器への作業の進捗状況を解析し、携帯端末装置１０５に新たな機器との接続を許可するための条件である接続許可条件が成立するか否かを判定する。
接続許可条件は、例えば、接続許可機器への作業の完了である。
つまり、進捗状況解析部２１０は、接続許可機器への作業が完了しているか否かを判定する。
そして、接続許可機器への作業が完了している場合に、進捗状況解析部２１０は、携帯端末装置１０５に接続を許可する新たな機器を新たな接続許可機器として選択する。
そして、進捗状況解析部２１０は、新たな接続許可機器が示される新たな接続許可情報を生成する。
以下、進捗状況解析部２１０を構成する作業進捗更新部２０３、作業工程更新部２０４、接続許可情報更新部２０５の各々を説明する。
【００２１】
作業進捗更新部２０３は、接続状態情報受信部２０１が受信した接続状態情報又は作業進捗情報受信部２０２が受信した作業進捗情報を、データベース２０７に書き込む。
図３はデータベース２０７の構成例を示す。
作業員管理テーブル３０１は、作業員を管理するためのテーブルである。
作業進捗管理テーブル３０２は、作業の進捗状況を管理するためのテーブルである。
作業工程管理テーブル３０３は、作業工程ごとのステータスを管理するためのテーブルである。
作業進捗更新部２０３は、作業員管理テーブル３０１を参照して、接続状態情報又は作業進捗情報の送信元の携帯端末装置１０５を携行している作業員を特定する。
次に、作業進捗更新部２０３は、特定した作業員に割り当てられている作業を、作業進捗管理テーブル３０２を参照して特定する。
次に、作業進捗更新部２０３は、接続状態情報又は作業進捗情報を、作業進捗管理テーブル３０２の該当項目に書き込む。
情報の書き込みが完了した時点で、作業進捗更新部２０３は作業工程更新部２０４に作業進捗管理テーブル３０２の更新があったことを通知する。
【００２２】
作業工程更新部２０４は、作業進捗管理テーブル３０２の更新箇所を参照して、作業工程管理テーブル３０３の工程ごとのステータスを更新する。
作業進捗管理テーブル３０２は、作業単位の進捗を管理するテーブルである。
作業進捗管理テーブル３０２では、保守点検作業の開始から完了に至るまでの達成度がパーセンテージなどで定量的に管理される。
作業工程管理テーブル３０３は、作業工程単位の進捗を管理するテーブルである。
作業工程は、１つの保守点検作業又は複数の保守点検作業で構成される。
作業工程管理テーブル３０３は、作業工程のステータスが管理される。
作業工程更新部２０４は、作業進捗管理テーブル３０２のデータを作業工程管理テーブル３０３のデータに変換する。
例えば、作業工程更新部２０４は、携帯端末装置１０５と保守点検機器１０２との接続検知から切断検知までの過程を「作業進行中」と変換する。
また、作業工程更新部２０４は、携帯端末装置１０５と保守点検機器１０２との切断検知から接続検知までの過程を「待機中」と変換する。
【００２３】
図５は、作業の進捗状況と作業進捗管理テーブル３０２と作業工程管理テーブル３０３との関係を示す。
ここでは、作業ＩＤがＡＡＡの作業とＢＢＢの作業が同時に進行しており、作業ＡＡＡと作業ＢＢＢの完了を受けて作業ＣＣＣに処理が移るという例を想定する。
作業進捗管理テーブル３０２では、各作業の達成度合いがパーセンテージで管理されている。
工程ＩＤが＃００１の作業工程は、作業ＡＡＡと作業ＢＢＢで構成される。
また、工程ＩＤが＃００２の作業工程は、作業ＣＣＣで構成される。
作業工程管理テーブル３０３では、各作業工程のステータス（作業進行中、待機中）が管理されている。
作業工程＃００１を構成する作業ＡＡＡと作業ＢＢＢの両方が進行中であることから、作業工程更新部２０４は、作業ＡＡＡと作業ＢＢＢの進捗状況を「作業進行中」に変換する。
そして、作業工程更新部２０４は、作業工程管理テーブル３０３の作業工程＃００１のステータス欄に「作業進行中」を書き込む。
作業工程＃００２は作業工程＃００１の完了後に着手されるため、作業工程更新部２０４は、作業工程管理テーブル３０３の作業工程＃００２のステータス欄に「待機中」を書き込む。
この変換処理の結果、作業工程管理テーブル３０３のステータス欄の変更が必要な場合は、作業工程更新部２０４は該当するステータス欄の記述を更新する。
作業工程管理テーブル３０３の更新が完了した時点で、作業工程更新部２０４は接続許可情報更新部２０５に作業工程管理テーブル３０３の更新があったことを通知する。
【００２４】
接続許可情報更新部２０５は、データベース２０７の作業工程管理テーブル３０３における更新箇所を参照して、各作業員の携帯端末装置１０５内の接続許可情報に更新が必要な箇所を特定する。
そして、接続許可情報更新部２０５は、データベース２０７の作業進捗管理テーブル３０２を参照して、各作業員の携帯端末装置１０５ごとに、次の保守点検作業と合致する保守点検機器との接続許可情報を抽出する。
つまり、接続許可情報更新部２０５は、携帯端末装置１０５に新たな機器との接続を許可するか否かを判定し、携帯端末装置１０５に新たな機器との接続を許可する場合は、新たな接続許可情報を生成する。
【００２５】
図７は、本実施の形態に係る携帯端末装置１０５の機能構成例を示す。
【００２６】
通信部７０１は、保守点検機器１０２又は作業工程管理装置１０１と通信する。
通信部７０１は、具体的には、保守点検機器１０２から接続要求を受信する。
また、通信部７０１は、接続要求に対する応答を保守点検機器１０２に返信する。
また、通信部７０１は、作業工程管理装置１０１に、接続状態情報又は作業進捗情報を送信する。
また、通信部７０１は、作業工程管理装置１０１から、接続許可情報を受信する。
【００２７】
接続判定部７０２は、通信部７０１が接続要求を受信した場合に、接続要求の送信元の保守点検機器１０２との接続が作業工程管理装置１０１により許可されているか否かを判定する。
具体的には、接続判定部７０２は、接続要求の送信元の保守点検機器１０２が、接続許可情報記憶部７０３に記憶されている接続許可情報に示される接続許可機器に該当するか否かを判定する。
【００２８】
接続許可情報記憶部７０３は、作業工程管理装置１０１から送信された接続許可情報を記憶する。
【００２９】
また、図７では図示していないが、携帯端末装置１０５は、保守点検機器１０２の保守点検作業を行うためのアプリケーションプログラムである保守点検アプリケーションを備えている。
【００３０】
＊＊＊動作の説明＊＊＊
次に、本実施の形態に係る保守点検機器１０２、携帯端末装置１０５、作業工程管理装置１０１のそれぞれの動作例を説明する。
最初に、図８を参照して、保守点検機器１０２の動作例を説明する。
【００３１】
先ず、保守点検機器１０２は、ＩＣカード１０６から携帯端末装置１０５の接続情報を読み込む（Ｓ８０１）。
次に、保守点検機器１０２は、接続情報を用いて携帯端末装置１０５に接続要求を送信する（Ｓ８０２）。
携帯端末装置１０５から、接続を許可する接続許可応答を受信した場合（Ｓ８０３でＹＥＳ）は、保守点検機器１０２は携帯端末装置１０５との接続を確立する（Ｓ８０４）。
一方、接続拒否応答を受信した場合（Ｓ８０３でＮＯ）は、保守点検機器１０２は処理を終了する。
【００３２】
次に、図９を参照して、携帯端末装置１０５の動作例を説明する。
【００３３】
通信部７０１が保守点検機器１０２から接続要求を受信した場合（Ｓ９０１）に、接続判定部７０２は、要求元の保守点検機器１０２との接続が許可されているか否かを判定する（Ｓ９０２）。
接続判定部７０２は、前述のように、要求元の保守点検機器１０２が、接続許可情報記憶部７０３に記憶されている接続許可情報に示される接続許可機器に該当するか否かを判定する。
【００３４】
要求元の保守点検機器１０２との接続が許可されていない場合（Ｓ９０２でＮＯ）は、通信部７０１が接続拒否応答を保守点検機器１０２に送信する（Ｓ９０３）。
一方、要求元の保守点検機器１０２との接続が許可されている場合（Ｓ９０２でＹＥＳ）は、通信部７０１は接続許可応答を保守点検機器１０２に送信する（Ｓ９０４）。
また、通信部７０１は、保守点検機器１０２との接続を確立する（Ｓ９０５）。
更に、通信部７０１は、作業工程管理装置１０１に、接続状態情報を送信する。
また、携帯端末装置１０５の保守点検アプリケーションにより保守点検機器１０２の保守点検作業が行われ、通信部７０１は、作業工程管理装置１０１に作業進捗情報を送信する（Ｓ９０６）。
【００３５】
一方、通信部７０１が保守点検機器１０２からの接続要求ではなく、作業工程管理装置１０１からの接続許可情報を受信した場合（Ｓ９０１でＮＯ、Ｓ９０７でＹＥＳ）は、接続許可情報記憶部７０３が、受信した接続許可情報を記憶する（Ｓ９０８）。
【００３６】
次に、図１０を参照して、作業工程管理装置１０１の動作例を説明する。
なお、以下に示す手順は、本願に係る作業工程管理方法及び作業工程管理プログラムの例に相当する。
【００３７】
作業進捗情報受信部２０２が携帯端末装置１０５から作業進捗情報を受信した場合（Ｓ１００１でＹＥＳ）（作業進捗情報受信処理）に、作業進捗更新部２０３及び作業工程更新部２０４は、前述した方法により、現在の達成度及びステータスを判定する（Ｓ１００２）。
次に、作業進捗更新部２０３は、作業進捗管理テーブル３０２を更新する（Ｓ１００３）。
また、必要であれば、作業工程更新部２０４は、作業工程管理テーブル３０３を更新する（Ｓ１００３）。
【００３８】
次に、接続許可情報更新部２０５は、作業進捗管理テーブル３０２及び作業工程管理テーブル３０３を参照して、接続許可情報の更新が必要かどうかを判定する（Ｓ１００４）（進捗状況解析処理）。
つまり、接続許可情報更新部２０５は、接続許可条件が成立しているか否かを判定する。
接続許可情報の更新が必要な場合（Ｓ１００４でＹＥＳ）は、接続許可情報更新部２０５は、新たな接続許可情報を生成し（進捗状況解析処理）、接続許可情報送信部２０６が新たな接続許可情報を携帯端末装置１０５に送信する（Ｓ１００５）（接続許可情報送信処理）。
一方、接続許可情報の更新が不要な場合（Ｓ１００４でＮＯ）は、作業工程管理装置１０１は処理を終了する。
【００３９】
＊＊＊効果の説明＊＊＊
以上、本実施の形態によれば、作業工程管理装置１０１が、複数の作業員により並行して実施される保守点検作業の進捗を的確に把握することができる。
そして、作業工程管理装置１０１が、各作業員が保守点検作業で活用する携帯端末装置１０５と、保守点検作業の対象となる保守点検機器１０２との接続を、作業進捗に合わせて動的に変更することが可能となる。
これにより、携帯端末装置１０５と保守点検機器１０２との接続を必要最低限に抑えることでセキュリティが向上する。
また、一部の保守点検作業に不備があった場合に、作業員が、その不備に気づかず次の作業工程に進んで後々に手戻りが発生する、という事態を回避することができる。
【００４０】
実施の形態２．
実施の形態１では、各作業員の携帯端末装置１０５に、保守点検作業ごとに接続許可情報を送信することで、保守点検作業ごとの未実施項目の検出や、作業間の進捗制限定義の遵守を厳格化している。
しかし、作業員ごとの進捗にバラつきが生じやすい場合などでは、一部の作業員が他の作業員の保守点検作業の完了を待たなければならない可能性がある。
このように、一部の作業員が他の作業員の作業の完了を待つことになると、非効率である。
そこで、本実施の形態では、他の作業員により現在実施中の保守点検作業が完了するまでの残り時間を予測する。
そして、予測した残り時間で完了することができる保守点検作業を待機中の作業員に優先的に割り当てる（作業順序を入れ替える）構成を説明する。
【００４１】
本実施の形態では、接続許可情報更新部２０５の構成が異なるのみで、他の構成は、実施の形態１と同じである。
本実施の形態では、接続許可情報更新部２０５は、接続許可機器（保守点検機器１０２）への作業が完了した際に携帯端末装置１０５以外の他の携帯端末装置が他の作業を実施中であるために、携帯端末装置１０５が接続許可機器（保守点検機器１０２）への作業の次に実施する予定の作業である次実施作業が開始されない場合に、他の携帯端末装置が実施中の作業が完了するまでの残り時間を予測する。
そして、接続許可情報更新部２０５は、予測した残り時間の間に携帯端末装置１０５が完了させることができる作業を抽出する。
また、接続許可情報更新部２０５は、次実施作業の開始前に、抽出した作業を携帯端末装置１０５に実施させる。
更に、接続許可情報更新部２０５は、抽出した作業が対象とする機器を新たな接続許可機器として選択する。
また、接続許可情報更新部２０５は、選択した新たな接続許可機器が示される新たな接続許可情報を生成する。
【００４２】
図４は、本実施の形態に係る接続許可情報更新部２０５の機能構成例を示す。
【００４３】
関連作業取得部４０１は、ある作業員が次に実施する保守点検作業まで一定の待ち時間が発生する場合に、待ちの原因となっている保守点検作業の情報を作業進捗管理テーブル３０２から取得する。
【００４４】
残作業時間予測部４０２は、関連作業取得部４０１が取得した作業進捗管理テーブル３０２の情報から、当該作業の開始時間と現状の作業進捗の定量値をもとに、残りの作業時間を予測する。
例えば、現在時刻が１０：００で作業開始時間が９：００、現状の作業進捗が５０％の場合、残作業時間予測部４０２は、作業終了時刻は１１：００と予測でき、残りの作業時間は１時間と予測できる。
【００４５】
作業順序入れ替え部４０３は、データベース２０７の作業進捗管理テーブル３０２を検索し、計画されている保守点検作業の中から、予測した残りの作業時間（前出の例では、１時間）で完了する作業を検索する。
検索する作業は、対象の作業員が担当する予定の作業である。
作業順序入れ替え部４０３は、検索された作業を、現状の待ちが発生している作業と入れ替える。
また、複数の作業が検索された場合は、作業順序入れ替え部４０３は、優先度の高い作業を、現状の待ちが発生している作業と入れ替える。
【００４６】
接続許可情報更新部２０５は、入れ替え後の保守点検作業に該当する、接続許可情報を取得して、接続許可情報送信部２０６へ通知する。
【００４７】
図６を用いて説明すると、作業ＢＢＢが大幅に遅延している場合、接続許可情報更新部２０５は、作業ＣＣＣの開始を待機している担当の三郎に、作業ＢＢＢの完了までの残り時間で完了する作業ＤＤＤを優先的に割り当てる。
これにより、三郎は、作業ＣＣＣの開始前に別の独立した作業ＤＤＤを完了できる。
接続許可情報更新部２０５は、作業工程管理テーブル３０３で作業ＤＤＤが作業ＢＢＢとは別の工程ＩＤに分類されていることを確認することで、作業ＤＤＤが独立した作業であると判断する。
【００４８】
以上、本実施の形態では、作業工程管理装置１０１が、一部の作業の遅れに伴う関連作業の待ち時間を、効率よく他の作業実施に自動的に割り当てることができる。
【００４９】
以上、本発明の実施の形態について説明したが、これら２つの実施の形態を組み合わせて実施しても構わない。
あるいは、これら２つの実施の形態のうち、１つを部分的に実施しても構わない。
あるいは、これら２つの実施の形態を部分的に組み合わせて実施しても構わない。
なお、本発明は、これらの実施の形態に限定されるものではなく、必要に応じて種々の変更が可能である。
【００５０】
最後に、作業工程管理装置１００のハードウェア構成例を図１１を参照して説明する。
作業工程管理装置１００はコンピュータである。
作業工程管理装置１００は、プロセッサ９０１、補助記憶装置９０２、メモリ９０３、通信装置９０４、入力インタフェース９０５、ディスプレイインタフェース９０６といったハードウェアを備える。
プロセッサ９０１は、信号線９１０を介して他のハードウェアと接続され、これら他のハードウェアを制御する。
入力インタフェース９０５は、入力装置９０７に接続されている。
ディスプレイインタフェース９０６は、ディスプレイ９０８に接続されている。
【００５１】
プロセッサ９０１は、プロセッシングを行うＩＣ（Ｉｎｔｅｇｒａｔｅｄ  Ｃｉｒｃｕｉｔ）である。
プロセッサ９０１は、例えば、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
補助記憶装置９０２は、例えば、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）である。
メモリ９０３は、例えば、ＲＡＭ（Ｒａｎｄｏｍ  Ａｃｃｅｓｓ  Ｍｅｍｏｒｙ）である。
通信装置９０４は、データを受信するレシーバー９４０１及びデータを送信するトランスミッター９４０２を含む。
通信装置９０４は、例えば、通信チップ又はＮＩＣ（Ｎｅｔｗｏｒｋ  Ｉｎｔｅｒｆａｃｅ  Ｃａｒｄ）である。
入力インタフェース９０５は、入力装置９０７のケーブル９１１が接続されるポートである。
入力インタフェース９０５は、例えば、ＵＳＢ（Ｕｎｉｖｅｒｓａｌ  Ｓｅｒｉａｌ  Ｂｕｓ）端子である。
ディスプレイインタフェース９０６は、ディスプレイ９０８のケーブル９１２が接続されるポートである。
ディスプレイインタフェース９０６は、例えば、ＵＳＢ端子又はＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。
入力装置９０７は、例えば、マウス、キーボード又はタッチパネルである。
ディスプレイ９０８は、例えば、ＬＣＤ（Ｌｉｑｕｉｄ  Ｃｒｙｓｔａｌ  Ｄｉｓｐｌａｙ）である。
【００５２】
補助記憶装置９０２には、図２に示す通信部２００（接続状態情報受信部２０１、作業進捗情報受信部２０２、接続許可情報送信部２０６）、進捗状況解析部２１０（作業進捗更新部２０３、作業工程更新部２０４、接続許可情報更新部２０５）（以下、これらをまとめて「部」と表記する）の機能を実現するプログラムが記憶されている。
このプログラムは、メモリ９０３にロードされ、プロセッサ９０１に読み込まれ、プロセッサ９０１によって実行される。
更に、補助記憶装置９０２には、ＯＳ（Ｏｐｅｒａｔｉｎｇ  Ｓｙｓｔｅｍ）も記憶されている。
そして、ＯＳの少なくとも一部がメモリ９０３にロードされ、プロセッサ９０１はＯＳを実行しながら、「部」の機能を実現するプログラムを実行する。
図１１では、１つのプロセッサ９０１が図示されているが、作業工程管理装置１００が複数のプロセッサ９０１を備えていてもよい。
そして、複数のプロセッサ９０１が「部」の機能を実現するプログラムを連携して実行してもよい。
また、「部」の処理の結果を示す情報やデータや信号値や変数値が、メモリ９０３、補助記憶装置９０２、又は、プロセッサ９０１内のレジスタ又はキャッシュメモリに記憶される。
【００５３】
「部」を「サーキットリー」で提供してもよい。
また、「部」を「回路」又は「工程」又は「手順」又は「処理」に読み替えてもよい。
「回路」及び「サーキットリー」は、プロセッサ９０１だけでなく、ロジックＩＣ又はＧＡ（Ｇａｔｅ  Ａｒｒａｙ）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ−Ｐｒｏｇｒａｍｍａｂｌｅ  Ｇａｔｅ  Ａｒｒａｙ）といった他の種類の処理回路をも包含する概念である。
【符号の説明】
【００５４】
１０１  作業工程管理装置、１０２  保守点検機器、１０３  読取装置、１０４  無線通信装置、１０５  携帯端末装置、１０６  ＩＣカード、２００  通信部、２０１  接続状態情報受信部、２０２  作業進捗情報受信部、２０３  作業進捗更新部、２０４  作業工程更新部、２０５  接続許可情報更新部、２０６  接続許可情報送信部、２０７  データベース、２１０  進捗状況解析部、３０１  作業員管理テーブル、３０２  作業進捗管理テーブル、３０３  作業工程管理テーブル、４０１  関連作業取得部、４０２  残作業時間予測部、４０３  作業順序入れ替え部、５００  作業員、７０１  通信部、７０２  接続判定部、７０３  接続許可情報記憶部、１０００  作業工程管理システム。
【図１】
2016103357.tif 000003
【図２】
2016103357.tif 000004
【図３】
2016103357.tif 000005
【図４】
2016103357.tif 000006
【図５】
2016103357.tif 000007
【図６】
2016103357.tif 000008
【図７】
2016103357.tif 000009
【図８】
2016103357.tif 000010
【図９】
2016103357.tif 000011
【図１０】
2016103357.tif 000012
【図１１】
2016103357.tif 000013
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
接続が許可される機器である接続許可機器との接続を行い、前記接続許可機器への作業を実施する携帯端末装置から、前記接続許可機器への作業の進捗状況が示される作業進捗情報を受信する作業進捗情報受信部と、
前記作業進捗情報に示される前記接続許可機器への作業の進捗状況を解析し、
前記携帯端末装置による前記接続許可機器への作業が完了した際に前記携帯端末装置以外の他の携帯端末装置が他の作業を実施中であるために、前記携帯端末装置が前記接続許可機器への作業の次に実施する予定の作業である次実施作業が開始されない場合に、
前記他の携帯端末装置が実施中の作業が完了するまでの残り時間を予測し、予測した残り時間の間に前記携帯端末装置が完了させることができる作業を抽出し、前記次実施作業の開始前に、抽出した作業を前記携帯端末装置に実施させる進捗状況解析部とを有する作業工程管理装置。
【請求項２】
前記受信部は、
前記接続許可機器が示される接続許可情報を受信した後に前記接続許可機器からアクセスがあった場合に、前記接続許可機器との接続を行い、前記接続許可機器への作業を実施する携帯端末装置から、前記作業進捗情報を受信し、
前記進捗状況解析部は、
前記作業進捗情報に示される前記接続許可機器への作業の進捗状況を解析し、前記携帯端末装置による前記接続許可機器への作業が完了しているか否かを判定し、前記接続許可機器への作業が完了している場合に、前記携帯端末装置に接続を許可する新たな機器を新たな接続許可機器として選択し、前記新たな接続許可機器が示される新たな接続許可情報を生成し、
前記作業工程管理装置は、更に、
前記進捗状況解析部により生成された前記新たな接続許可情報を前記携帯端末装置に送信する接続許可情報送信部を有する請求項１に記載の作業工程管理装置。
【請求項３】
前記進捗状況解析部は、
抽出した作業が対象とする機器を前記新たな接続許可機器として選択する請求項２に記載の作業工程管理装置。
【請求項４】
接続が許可される機器である接続許可機器との接続を行い、前記接続許可機器への作業を実施する携帯端末装置と、
前記携帯端末装置から、前記接続許可機器への作業の進捗状況が示される作業進捗情報を受信し、前記作業進捗情報に示される前記接続許可機器への作業の進捗状況を解析し、
前記携帯端末装置による前記接続許可機器への作業が完了した際に前記携帯端末装置以外の他の携帯端末装置が他の作業を実施中であるために、前記携帯端末装置が前記接続許可機器への作業の次に実施する予定の作業である次実施作業が開始されない場合に、
前記他の携帯端末装置が実施中の作業が完了するまでの残り時間を予測し、予測した残り時間の間に前記携帯端末装置が完了させることができる作業を抽出し、前記次実施作業の開始前に、抽出した作業を前記携帯端末装置に実施させる作業工程管理装置とを有する作業工程管理システム。
【請求項５】
前記携帯端末装置は、
前記接続許可機器が示される接続許可情報を受信した後に前記接続許可機器からアクセスがあった場合に、前記接続許可機器との接続を行い、
前記作業工程管理装置は、
前記作業進捗情報に示される前記接続許可機器への作業の進捗状況を解析し、前記携帯端末装置による前記接続許可機器への作業が完了しているか否かを判定し、前記接続許可機器への作業が完了している場合に、前記携帯端末装置に接続を許可する新たな機器を新たな接続許可機器として選択し、前記新たな接続許可機器が示される新たな接続許可情報を生成し、生成した前記新たな接続許可情報を前記携帯端末装置に送信する請求項４に記載の作業工程管理システム。
【請求項６】
前記作業工程管理装置は、
抽出した作業が対象とする機器を前記新たな接続許可機器として選択する請求項５に記載の作業工程管理システム。
【請求項７】
前記携帯端末装置は、
いずれかの機器からアクセスがあった場合に、アクセス元の機器が前記接続許可情報に示される前記接続許可機器に該当するか否かを判定し、
前記アクセス元の機器が前記接続許可機器に該当する場合に、前記アクセス元の機器との接続を行う請求項５に記載の作業工程管理システム。
【請求項８】
接続が許可される機器である接続許可機器との接続を行い、前記接続許可機器への作業を実施する携帯端末装置から、コンピュータが、前記接続許可機器への作業の進捗状況が示される作業進捗情報を受信し、
前記コンピュータが、前記作業進捗情報に示される前記接続許可機器への作業の進捗状況を解析し、
前記携帯端末装置による前記接続許可機器への作業が完了した際に前記携帯端末装置以外の他の携帯端末装置が他の作業を実施中であるために、前記携帯端末装置が前記接続許可機器への作業の次に実施する予定の作業である次実施作業が開始されない場合に、
前記コンピュータが、前記他の携帯端末装置が実施中の作業が完了するまでの残り時間を予測し、予測した残り時間の間に前記携帯端末装置が完了させることができる作業を抽出し、前記次実施作業の開始前に、抽出した作業を前記携帯端末装置に実施させる作業工程管理方法。
【請求項９】
接続が許可される機器である接続許可機器との接続を行い、前記接続許可機器への作業を実施する携帯端末装置から、前記接続許可機器への作業の進捗状況が示される作業進捗情報を受信する作業進捗情報受信処理と、
前記作業進捗情報に示される前記接続許可機器への作業の進捗状況を解析し、
前記携帯端末装置による前記接続許可機器への作業が完了した際に前記携帯端末装置以外の他の携帯端末装置が他の作業を実施中であるために、前記携帯端末装置が前記接続許可機器への作業の次に実施する予定の作業である次実施作業が開始されない場合に、
前記他の携帯端末装置が実施中の作業が完了するまでの残り時間を予測し、予測した残り時間の間に前記携帯端末装置が完了させることができる作業を抽出し、前記次実施作業の開始前に、抽出した作業を前記携帯端末装置に実施させる進捗状況解析処理とをコンピュータに実行させる作業工程管理プログラム。
【国際調査報告】
2016103357.tif 000014
2016103357.tif 000015
2016103357.tif 000016
2016103357.tif 000017